(57)【要約】【課題】タイル直張り外壁における、コンクリート躯体と張付けモルタル間に発生した浮きによるタイル剥落を防止することを課題とする。【解決手段】タイル直張り外壁のコンクリート躯体と張付けモルタル間に浮きが生じている領域に位置するタイルの略中央部に、前記コンクリート躯体まで到達する孔部を穿孔する穿孔工程、注入口付きアンカーピンを前記孔部に挿入し、該注入口付きアンカーピンを前記孔部に固定するアンカーピン固定工程、前記注入口付きアンカーピンの注入口から注入材を注入し、前記孔部が形成されたタイルよりも広い領域に前記注入材を拡散させ、前記コンクリート躯体と前記張付けモルタルとを接着する接着工程、を備えるタイル直張り外壁の浮き補修工法。【選択図】図１
2018197477.tif 000002
【特許請求の範囲】
【請求項１】
タイル直張り外壁のコンクリート躯体と張付けモルタル間に浮きが生じている領域に位置するタイルの略中央部に、前記コンクリート躯体まで到達する孔部を穿孔する穿孔工程、
注入口付きアンカーピンを前記孔部に固定するアンカーピン固定工程、
前記注入口付きアンカーピンの注入口から注入材を注入し、前記孔部が形成されたタイルよりも広い領域に前記注入材を拡散させ、前記コンクリート躯体と前記張付けモルタルとを接着する接着工程、
を備えることを特徴とするタイル直張り外壁の浮き補修工法。
【請求項２】
前記注入材が、ＪＩＳ  Ａ６０２４で規格される高粘度形であることを特徴とする請求項１に記載の補修工法。
【請求項３】
２０ｃｍ以上３５ｃｍ以下の間隔で複数個の孔部を穿孔することを特徴とする請求項１または２に記載の補修工法。
【発明の詳細な説明】
【技術分野】
【０００１】
本発明は、コンクリート躯体に直接張付けモルタルでタイルを張り合わせてなるタイル直張り外壁における、コンクリート躯体と張付けモルタル間に発生した浮きによるタイル剥落を防止するための補修工法に関する。
【背景技術】
【０００２】
図４に、従来の下地モルタルを有するタイル外壁の断面図を示す。なお、本明細書において、同一部材には同一符号を付す。
従来、タイル外壁は、コンクリート躯体１（以下、躯体という）表面の凹凸を平らにするための下地モルタル８と、この下地モルタル８上の張付けモルタル２を介して、タイル３が張付けられていた（図４）。
しかし、躯体精度が向上して凹凸が小さくなったこと、及び、コストダウン、工期短縮、省力化等の観点から、近年、マンションを中心に、下地モルタルを用いることなく、躯体に直接張付けモルタルでタイルを張り合わせる「タイル直張り工法」による施工が急増している。タイル直張り工法による直張りタイル外壁の断面図を図３に示す。
タイル直張り工法では、躯体１表面上に直接張付けモルタル２を塗布し、この張付けモルタル２でタイル３が張り付けられている。
【０００３】
タイル直張り外壁は、躯体成形時に使用する型枠に塗布される剥離剤が躯体表面に付着すること、躯体表面が平滑で微細凹凸が少ないこと、高強度コンクリートでは躯体表面がさらに平滑となること等から、張付けモルタルと躯体との密着力に劣る場合がある。躯体と張付けモルタル間に剥離（以下、浮きともいう）が生じると、地震等の際にタイルの剥落に繋がり、高所からのタイルの落下により死傷等の大きな事故が起こりかねない。
【０００４】
張付けモルタルの浮きを補修するために、タイルを張り替える方法がある。しかし、タイルの張り替えは、撤去されたタイルが大量の産業廃棄物となる。また、従来の色調と同様のタイルを準備することが難しく、建築物の美観が損なわれる場合がある。
【０００５】
その他の方法として、特許文献１には、下地壁上に接着部材を介して配置されたタイルの補修方法であって、タイルの周囲に形成された目地に接着部材を貫通する孔部を形成し、この孔部に注入材を注入して、孔部を中心として孔部よりも広い領域に注入材を拡散させることにより、下地壁と接着部材とを接着するタイルの補修方法が提案されている。
ここで、注入材を注入すると、注入した孔部を中心として浮きがさらに浮き上がる共浮きと呼ばれる現象が生じる。共浮きは、注入材の注入時の圧力によるものであり、注入材が拡散してその厚みが薄くなることにより次第に収まる。しかし、タイル外壁において、目地は、タイルと比較して割れやすいため、特許文献１で提案されているタイルの周囲の目地に形成した孔部から注入材を注入する補修方法では、注入を少しずつゆっくりと行う必要があり、また、共浮きにより孔部周辺の目地に割れが生じる場合がある。
【先行技術文献】
【特許文献】
【０００６】
【特許文献１】特開２０１５−１１７５４２号公報
【発明の概要】
【発明が解決しようとする課題】
【０００７】
本発明は、タイル直張り外壁における、コンクリート躯体と張付けモルタル間に発生した浮きによるタイル剥落を防止することを課題とする。
【課題を解決するための手段】
【０００８】
１．タイル直張り外壁のコンクリート躯体と張付けモルタル間に浮きが生じている領域に位置するタイルの略中央部に、前記コンクリート躯体まで到達する孔部を穿孔する穿孔工程、
注入口付きアンカーピンを前記孔部に固定するアンカーピン固定工程、
前記注入口付きアンカーピンの注入口から注入材を注入し、前記孔部が形成されたタイルよりも広い領域に前記注入材を拡散させ、前記コンクリート躯体と前記張付けモルタルとを接着する接着工程、
を備えることを特徴とするタイル直張り外壁の浮き補修工法。
２．前記注入材が、ＪＩＳ  Ａ６０２４で規格される高粘度形であることを特徴とする１．に記載の補修工法。
３．２０ｃｍ以上３５ｃｍ以下の間隔で複数個の孔部を穿孔することを特徴とする１．または２．に記載の補修工法。
【発明の効果】
【０００９】
本発明の補修工法は、タイルの略中央部に孔部を穿孔し、この孔部から注入材を注入することを特徴とする。タイルは、目地と比較して強度に優れるため、共浮きが生じてもタイル、目地の割れが起こりにくい。本発明の補修工法は、共浮きによるタイル、目地の割れが起こりにくいため、高粘度形の注入材を用いることができる。高粘度形の注入材は、浮きの内部に隙間なく充填されるため、本発明の補修工法が施されたタイル直張り外壁は、剥離強度に優れ、浮きの発生、タイルの剥落を長期間に亘って防止することができる。
【図面の簡単な説明】
【００１０】
【図１】本発明の補修工法が施工された一実施態様であるタイル直張り外壁の断面図。
【図２】本発明の補修工法が施工された一実施態様であるタイル直張り外壁の正面図。
【図３】タイル直張り外壁の断面図
【図４】従来の下地モルタルを有するタイル外壁の断面図。
【発明を実施するための形態】
【００１１】
本発明は、タイル直張り外壁におけるコンクリート躯体と張付けモルタル間に発生した浮きによるタイル剥落を防止するための補修工法に関する。
具体的には、本発明の補修工法は、
１．タイル直張り外壁のコンクリート躯体と張付けモルタル間に浮きが生じている領域に位置するタイルの略中央部に、前記コンクリート躯体まで到達する孔部を穿孔する穿孔工程
２．注入口付きアンカーピンを前記孔部に固定するアンカーピン固定工程
３．前記注入口付きアンカーピンの注入口から注入材を注入し、前記孔部を形成されたタイルよりも広い領域に前記注入材を拡散させ、前記コンクリート躯体と前記張付けモルタルとを接着する接着工程
を備えることを特徴とする。
【００１２】
本発明の補修工法が施工された一実施態様であるタイル直張り外壁の断面図を図１に、正面図を図２に示す。
図１、２に示す補修工法が施されたタイル直張り外壁は、躯体１と、張付けモルタル２と、タイル３と、躯体と張付けモルタルとの間の浮きに充填された注入材４とを備える。タイル３は、最も一般的な大きさであり、いわゆる４５二丁掛タイルと呼ばれる４５ｍｍ×９５ｍｍの寸法である。また、隣接するタイル３の間には目地が存在する。なお、図１、２に示す例は一実施態様であり、本発明の補修工法はこの一実施態様に限定されない。例えば、タイルは、４５二丁掛タイルに限定されない。また、躯体には、コンクリートの打継ぎ面や型枠の継ぎ目等に生じた凹凸を平滑にするため、部分的に下地調整モルタルにより不陸調整が行われる場合があるが、本発明の補修工法は、躯体と張付けモルタルとの間に、部分的に下地調整モルタルを有するものも含む。
以下、図１、２を参照して本発明の一実施態様である補修工法について説明する。
【００１３】
「穿孔工程」
最初に、テストハンマー等を用いてタイル直張り外壁表面を軽く打診し、躯体から剥離した張付けモルタルの浮きを確認し、浮き領域をマーキングする。また、必要に応じて、内視鏡等により、浮き代（躯体と張付けモルタルとの間隔）の幅を確認する。
浮き領域内で最も浮き代が大きい部分、または、浮き領域の中心に位置するタイルの略中央部に、無振動ドリル等を用いて基準となる孔部５を穿孔する。さらに、浮き領域内において、この基準となる孔部５から上下左右に約３０ｃｍの間隔で複数個の孔部をいずれもタイル略中央部に穿孔する。この際、浮き領域の端部から孔部の間隔の半分以内の部分、例えば、孔部の間隔が３０ｃｍである一実施態様である補修工法では、浮き領域の端部から１５ｃｍ以内の部分には、孔部を穿孔しないことが好ましい。孔部が浮き領域の端部に近いと、この孔部に注入材を注入した際に起こる共浮きにより、浮き領域が広がってしまう場合がある。孔部は、躯体内に２０ｍｍ以上の深さとなるように穿孔する。また、孔部５の開口部に、後述する化粧キャップ７を収容するための、孔部の孔径よりも径が大きい浅い孔を穿つ、いわゆる２段掘を行う。
【００１４】
また、浮き領域内の端部等に、エア抜きのための孔を設けることができる。エア抜き用の孔は、注入材注入時に内部の気体を放出し、共浮きなどを抑制するためのものであり、アンカーピンの挿入や、注入材の注入は行われない。エア抜き用の孔は、タイル、目地のどちらに設けてもよいが、施工後の穴埋めが容易であることから、目地に設けることが好ましい。
【００１５】
ここで、本発明の補修工法において、孔部の間隔は、２０ｃｍ以上３５ｃｍ以下であることが好ましい。孔部の間隔が２０ｃｍ未満では、穿孔する孔部の数が多くなり、施工に手間がかかる。孔部の間隔が３５ｃｍより大きいと、一つの孔部に注入する注入材量が多くなり、孔部を中心とした円形に広がりにくくなる。また、複数個の孔部は、上下左右に四角形の頂点位置となるように設けることが容易ではあるが、このような配置に限定されず、例えば、三角形の頂点位置となるように設けることもできる。
【００１６】
「アンカーピン固定工程」
孔部５の内部から、接着の妨げとなる粉塵を圧縮空気等で除去した後、孔部５に注入口付きアンカーピン６を挿入する。注入口付きアンカーピン６は、中空軸状であり、頭部に注入口、側壁の先端部近傍から中程にかけてスリット、先端部に拡開されたときに躯体に食い込む構造を備える。孔部５に挿入した注入口付きアンカーピン６の先端部を、打ち込み棒等により拡開して躯体１に食い込ませ、強固に固定する。
【００１７】
「接着工程」
手動式注入器等を用いて、注入口付きアンカーピン６の注入口から注入材４を注入する。注入材４は、中空軸状である注入口付きアンカーピン６の内部を通り、さらにスリットを通じて注入口付きアンカーピン６の内部から外部へ移動し、浮き内で孔部５を中心として円形に拡散する。この際、注入材により、孔部を中心とした共浮きが生じるが、本発明は、孔部が目地と比較して硬いタイルの略中央部に穿孔されているため、共浮きが生じても、タイル、目地の割れを防ぐことができる。
【００１８】
注入材としては、揺変性（チキソ性）と、浮き内で流れ落ちないだけの粘度を備えているものであれば、エポキシ系樹脂、アクリル系樹脂等からなるものを特に制限することなく使用することができ、ＪＩＳ  Ａ６０２４で規格される高粘度形のものが、浮き内でゆっくりと拡散し、躯体と張付けモルタルとを強固に張り付けることができるため好ましい。また、高粘度形の中でもＪＩＳ  Ａ６０２４に準拠するスランプ性が３．０以下のものがより好ましく、スランプ性が１．０以下のものがより好ましく、ＪＩＳ  Ｋ６８３３に準拠する粘度が２１０００ｍＰａ・ｓ以上３５０００ｍＰａ・ｓ以下である（中粘度形は５０００〜２００００ｍＰａ・ｓ）ものが、揺変性に優れるため最も好ましい。このような揺変性に優れた高粘度形注入材としては、市販されているものを適宜用いることができる。なお、高粘度形は、拡散が遅いため、注入直後の共浮きが大きくなる傾向があるが、本発明の補修工法は、強度に優れたタイルの略中央部に孔部を穿孔するため、共浮きが大きくとも、タイル、目地の割れを防ぐことができる。
【００１９】
本発明は、注入材を孔部が形成されたタイルよりも広い領域に拡散させることを特徴とするが、一実施態様である補修工法では、注入材４は、孔部５を中心として、孔部５の間隔と同一の直径である直径３０ｃｍの円形領域を充填できる量だけ注入される。一実施態様である補修工法では、０．８１ｍ２＝９０ｃｍ×９０ｃｍの浮き領域に対し、３０ｃｍ間隔で設けられた９個の孔部を中心として直径３０ｃｍの領域に注入材が拡散しており、注入材が拡散している注入領域は、０．６３６ｍ２＝１５ｃｍ×１５ｃｍ×π×９である。そのため、一実施態様である補修工法において、接着比率は７８．５％（＝０．６３６／０．８１）となる。日本建築学会（ＪＡＳＳ）の「建築工事標準仕様書・同解説ＪＡＳＳ１９  陶磁器質タイル張り工事」の規定に定められている接着比率は６０％以上であるから、一実施態様である補修工法により、十分に浮き領域を補修し、タイルの剥落を防ぐことができる。なお、実際には、注入材が存在しない未注入領域が存在することにより、応力集中が緩和されるため、浮き領域の全面に注入材が充填された場合よりも、剥落抑制効果が高い。ただし、施主等の要求に応じて、未注入領域が少なくなるように、例えば、四角形の頂点位置に穿孔された４個の孔部の中心に穿孔し、直径１０ｃｍほどの円形領域を形成するように注入材を注入し、接着比率をさらに高くすることもできる。
【００２０】
ここで、浮き領域に注入材を注入した際の共浮きにより、浮き領域が広がる場合がある。共浮きによる浮き領域の広がりを抑制するためには、上記接着工程より前に、浮き領域の周囲に、アシスト孔部を穿孔し、このアシスト孔部にアンカーピンを打ち込み（以下、アシスト孔部に打ち込むアンカーピンをアシストピンという）、上記アンカーピン固定工程と同様にしてアシストピンを躯体に固定し、注入材をアシスト孔部に充填すればよい。
アシスト孔部は、浮き領域の外部に穿孔されているため、注入材はアシスト孔部のみに充填される。そして、アシスト孔部内で注入材が硬化することにより、アシスト孔部周辺の張付けモルタルは、アシストピンと注入材により躯体に強固に固定される。そのため、浮き領域の周辺に位置するアシスト孔部の近辺に、共浮きによる張付けモルタルを剥離する力が加わっても、浮き領域が広がることを抑えることができる。
【００２１】
最後に、孔部５からはみ出した注入材４を除去し、孔部の開口部にタイルと同系色に焼付けした化粧キャップ７をプラスチックハンマー等を用いて打ち込み装着する。また、必要に応じてエア抜き孔の埋め戻し等を行う。化粧キャップをタイルと同系色にすることにより、補修工事を実施したことを視認し難くして、建築物の風合、景観を保ち、その資産価値の低下を防止することができる。
【符号の説明】
【００２２】
１    躯体
２    張付けモルタル
３    タイル
４    注入材
５    孔部
６    注入口付きアンカーピン
７    化粧キャップ
８    下地モルタル
【図１】
2018197477.tif 000003
【図２】
2018197477.tif 000004
【図３】
2018197477.tif 000005
【図４】
2018197477.tif 000006